(57)【要約】【課題】原稿のサイズや用紙種類が変わっても、所定の原稿搬送速度を保持できる画像読取装置を提供する。【解決手段】原稿Ｍを搬送する駆動ローラ４，５と、駆動ローラ４，５により搬送される原稿Ｍの画像を読み取る読取センサ６と、駆動ローラ４，５の軸方向に並ぶ複数の従動ローラ８ｅ，９ｅを有する押圧手段８，９とを備え、押圧手段８，９は、従動ローラ８ｅ，９ｅを駆動ローラ４，５の軸方向に案内し、かつ上下方向に移動可能な案内部材８ｂ，９ｂと、従動ローラ８ｅ，９ｅを駆動ローラ４，５に向けて押圧するスプリング８ｇ，９ｇと、を含んで構成されている。【選択図】図１
2015171129.tif 000002
【特許請求の範囲】
【請求項１】
原稿を搬送する駆動ローラと、
前記駆動ローラにより搬送される原稿の画像を読み取る読取手段と、
前記駆動ローラの軸方向に並ぶ複数の従動ローラを有する押圧手段とを備え、
前記押圧手段は、前記従動ローラを前記駆動ローラの軸方向に案内し、かつ上下方向に移動可能な案内部材と、前記従動ローラを前記駆動ローラに向けて押圧するスプリングと、を含んで構成されることを特徴とする画像読取装置。
【請求項２】
前記駆動ローラは、前記読取手段の原稿搬送方向上流側および下流側に配置されていることを特徴とする請求項１に記載の画像読取装置。
【請求項３】
前記押圧手段は、前記読取手段の原稿搬送方向上流側に配置されていることを特徴とする請求項２に記載の画像読取装置。
【請求項４】
前記押圧手段は、前記読取手段の原稿搬送方向下流側に配置されていることを特徴とする請求項２に記載の画像読取装置。
【請求項５】
前記押圧手段は、前記読取手段の原稿搬送方向上流側および下流側に配置されていることを特徴とする請求項２に記載の画像読取装置。
【請求項６】
前記読取手段の原稿搬送方向上流側の前記押圧手段は、前記駆動ローラに対する前記従動ローラへの押圧力、前記従動ローラの転動面の摩擦係数、あるいは前記従動ローラの数のいずれかが、前記読取手段の原稿搬送方向下流側の前記押圧手段を上回っていることを特徴とする請求項５に記載の画像読取装置。
【請求項７】
前記原稿のサイズおよび種類に応じて、所定数の前記従動ローラが前記原稿に接するよう前記従動ローラを前記案内部材に沿って移動させ、前記駆動ローラに対する前記従動ローラの押圧力が所定値となるよう前記案内部材の上下位置を設定することを特徴とする請求項１ないし請求項６のいずれか１項に記載の画像読取装置の使用方法。
【発明の詳細な説明】
【技術分野】
【０００１】
本発明は、画像読取装置およびその使用方法に関する。
【背景技術】
【０００２】
従来、複写機、プリンタ等の画像形成装置において、Ａ４やＢ４よりも大きなサイズの用紙を用いることができるものが知られている（例えば、特許文献１参照）。
【０００３】
この画像形成装置は、給紙搬送ローラと、レジストローラと、定着装置と、給紙搬送ローラ、レジストローラおよび定着装置の用紙搬送速度の線速を可変可能な搬送駆動手段と、用紙の紙種に応じて定着の条件を制御する制御手段とを備えている。制御手段は、少なくとも用紙の種類、サイズ、定着条件のいずれかに基づいて、搬送駆動手段による線速を設定するよう構成されている。
【０００４】
また、従来、複写機、スキャナー等を構成する画像読取装置において、読取処理速度の低下を抑制することができるものが知られている（例えば、特許文献２参照）。
【０００５】
この画像読取装置は、給紙ローラと、搬送ローラと、レジストローラと、給紙ローラおよび搬送ローラを駆動する第１のモータと、レジストローラを駆動する第２のモータと、読取センサと、第１のモータおよび第２のモータを制御する搬送制御手段と、画像優先モードと速度優先モードとを選択的に設定する設定手段とを備えている。搬送制御手段は、設定手段により設定される各モードに応じて、第１モータおよび第２のモータを制御するよう構成されている。
【発明の概要】
【発明が解決しようとする課題】
【０００６】
しかしながら、特許文献１に開示された画像形成装置は、搬送駆動手段による線速を設定するため、例えば、特許文献１における制御手段を、画像読取装置の原稿供給部に適用したとすると、普通紙原稿に比べて表面粗さが小さい原稿を搬送するときに、原稿と給紙搬送ローラおよびレジストローラとの間に滑りが生じて、所定の原稿搬送速度を保持できなくなり、読取画質の悪化が懸念される。
【０００７】
また、特許文献２に開示された画像読取装置は、設定手段により設定される各モードに応じて、第１モータおよび第２のモータを制御するため、普通紙原稿に比べて表面粗さが小さい原稿を搬送するときに、原稿と給紙搬送ローラおよびレジストローラとの間に滑りが生じて、所定の原稿搬送速度を保持できなくなり、読取画質の悪化が懸念される。
【０００８】
本発明は、上述した課題を解決するためのもので、原稿のサイズや用紙種類が変わっても、所定の原稿搬送速度を保持できる画像読取装置およびその使用方法を提供することを目的としている。
【課題を解決するための手段】
【０００９】
本発明に係る画像読取装置は、上記目的を達成するため、原稿を搬送する駆動ローラと、前記駆動ローラにより搬送される原稿の画像を読み取る読取手段と、前記駆動ローラの軸方向に並ぶ複数の従動ローラを有する押圧手段とを備え、前記押圧手段は、前記従動ローラを前記駆動ローラの軸方向に案内し、かつ上下方向に移動可能な案内部材と、前記従動ローラを前記駆動ローラに向けて押圧するスプリングと、を含んで構成されている。
【発明の効果】
【００１０】
本発明によれば、原稿のサイズや用紙種類が変わっても、所定の原稿搬送速度を保持できる画像読取装置およびその使用方法を提供することができる。
【図面の簡単な説明】
【００１１】
【図１】本発明の実施の形態に係る画像読取装置の概略構成図である。
【図２】図１における駆動ローラ、従動ローラおよび原稿の位置関係を表す概略構成図である。
【図３】図１における駆動ローラ、従動ローラおよび原稿の位置関係を表す概略構成図である。
【図４】図１における従動ローラの位置関係を表す概略構成図である。
【図５】原稿サイズと速度ずれとの関係を表すグラフである。
【図６】用紙種類と速度ずれとの関係を表すグラフである。
【発明を実施するための形態】
【００１２】
以下、本発明の実施形態について、図面を参照して説明する。
【００１３】
図１に示すように、本実施の形態に係る画像読取装置１は、原稿台２と、原稿カバー３と、駆動ローラ４，５と、読取センサ６と、補正基準白板７と、押圧手段８，９とを備えている。原稿台２は、コンタクトガラス２ａを有している。原稿カバー３は、原稿台２を上方から覆うよう配置されている。
【００１４】
一方の駆動ローラ４は、原稿搬送方向に対して直交する方向に水平に延び、コンタクトガラス２ａよりも原稿搬送方向上流Ａ側に位置するよう原稿台２に回転自在に支持されている。他方の駆動ローラ５は、駆動ローラ４と平行に延び、コンタクトガラス２ａよりも原稿搬送方向下流Ｂ側に位置するよう原稿台２に回転自在に支持されている。これら駆動ローラ４，５は、図示しないベルトおよびギヤ等からなる駆動伝達機構を介して同期回転するよう連結され、図示しないモータによって駆動されるようになっている。
【００１５】
読取センサ６は、主走査方向が原稿搬送方向に対して直交する方向に水平に延びるようコンタクトガラス２ａの下方に配置され、駆動ローラ４，５によって搬送される原稿Ｍの画像を読み取るようになっている。この読取センサ６には、例えば、ＣＩＳ読取ユニット、またはＣＣＤ読取ユニット等を適用している。
【００１６】
補正基準白板７は、読取センサ６の画像むらの補正の基準となるもので、原稿カバー３の内部に設けた架構３ａに、コンタクトガラス２ａを介して読取センサ６に対峙するよう取り付けられている。また、原稿カバー３は、原稿台２を覆うことにより、読取センサ６が外乱光の影響を受けないようにしている。
【００１７】
図１に示すように、一方の押圧手段８は、昇降機構８ａ、案内部材８ｂ、ロッド８ｃ、ブラケット８ｄ、従動ローラ８ｅ、スプリング座８ｆおよびスプリング８ｇを含んで構成されている。
【００１８】
昇降機構８ａは、上下方向に伸縮可能なアクチュエータであり、原稿カバー３の内部に駆動ローラ４の上方に位置するよう配置され、上端部が原稿カバー３の内側上面部に固定されている。この昇降機構８ａには、例えば、モータ駆動方式のスクリュージャッキ等を適用している。
【００１９】
案内部材８ｂは、駆動ローラ４と平行に延び、上側面部が昇降機構８ａの下端部に固定され、昇降機構８ａの伸縮に追従して上下方向に移動するようになっている。駆動ローラ４に対する案内部材８ｂの上下方向の位置は、図示しないエンコーダ等により検知されるようになっている。
【００２０】
図２、図３に示すように、ロッド８ｃは、案内部材８ｂから下方に向けて複数突出しており、モータ駆動、または手動操作により案内部材８ｂに沿って移動するよう構成されている。案内部材８ｂの長手方向に対する各ロッド８ｃの位置は、図示しない反射型センサ、あるいはリニア位置センサ等により検出されるようになっている。
【００２１】
ブラケット８ｄは、各ロッド８ｃの下端部に上下方向に移動自在に取り付けられている。従動ローラ８ｅは、駆動ローラ４と平行な軸線を有し、駆動ローラ４の直上に位置するよう各ブラケット８ｄに回転自在に支持されている。よって、図４に示すように、複数の従動ローラ８ｅは、原稿搬送方向に対して直交する方向に水平に並ぶようになる。
【００２２】
スプリング座８ｆは、各ロッド８ｃの上下方向中間部に位置固定で取り付けられている。スプリング８ｇは、コイルスプリングであり、ブラケット８ｄの上端部とスプリング座８ｆの下端部との間において各ロッド８ｃを周方向に取り囲み、ブラケット８ｄを介して従動ローラ８ｅを駆動ローラ４に向けて押圧するようになっている。
【００２３】
また、駆動ローラ４に対する従動ローラ８ｅの押圧力は、昇降機構８ａにより案内部材８ｂを上下方向に移動させると、スプリング８ｇの圧縮量に応じて増減するようになっている。これにより、原稿Ｍは、駆動ローラ４と従動ローラ８ｅとに挟持され、駆動ローラ４の外周部と原稿Ｍとの間に生じる摩擦に応じた搬送力で搬送されるようになっている。
【００２４】
図１に示すように、他方の押圧手段９は、昇降機構９ａ、案内部材９ｂ、ロッド９ｃ、ブラケット９ｄ、従動ローラ９ｅ、スプリング座９ｆおよびスプリング９ｇを含んで構成されている。
【００２５】
昇降機構９ａは、上下方向に伸縮可能なアクチュエータであり、原稿カバー３の内部に駆動ローラ５の上方に位置するよう配置され、上端部が原稿カバー３の内側上面部に固定されている。この昇降機構９ａには、例えば、モータ駆動方式のスクリュージャッキ等を適用している。
【００２６】
案内部材９ｂは、駆動ローラ５と平行に延び、上側面部が昇降機構９ａの下端部に固定され、昇降機構９ａの伸縮に追従して上下方向に移動するようになっている。駆動ローラ５に対する案内部材９ｂの位置は、図示しないエンコーダにより検知されるようになっている。
【００２７】
図２、図３に示すように、ロッド９ｃは、案内部材８ｂから下方に向けて複数突出しており、モータ駆動、または手動操作により案内部材９ｂに沿って移動するよう構成されている。案内部材９ｂの長手方向に対する各ロッド９ｃの位置は、図示しない反射型センサ、あるいはリニア位置センサ等により検出されるようになっている。
【００２８】
ブラケット９ｄは、各ロッド９ｃの下端部に上下方向に移動自在に取り付けられている。従動ローラ９ｅは、駆動ローラ５と平行な軸線を有し、駆動ローラ５の直上に位置するよう各ブラケット９ｄに回転自在に支持されている。よって、図４に示すように、複数の従動ローラ９ｅは、原稿搬送方向に対して直交する方向に水平に並ぶようになる。
【００２９】
スプリング座９ｆは、各ロッド９ｃの上下方向中間部に位置固定で取り付けられている。スプリング９ｇは、コイルスプリングであり、ブラケット９ｄの上端部とスプリング座９ｆの下端部との間において各ロッド９ｃを周方向に取り囲み、ブラケット９ｄを介して従動ローラ９ｅを駆動ローラ５に向けて押圧するようになっている。
【００３０】
また、駆動ローラ５に対する従動ローラ９ｅの押圧力は、昇降機構９ａにより案内部材９ｂを上下方向に移動させると、スプリング９ｇの圧縮量に応じて増減するようになっている。これにより、原稿Ｍは、駆動ローラ５と従動ローラ９ｅとに挟持され、駆動ローラ５の外周部と原稿Ｍとの間に生じる摩擦に応じた搬送力で搬送されるようになっている。
【００３１】
画像読取装置１において、図４に示すように、Ａ１サイズの原稿Ｍを横向き搬送にして画像を読み取る場合には、押圧手段８，９の従動ローラ８ｅ，９ｅの全数（８個）が原稿Ｍを押圧するように、案内部材８ｂ，９ｂに対するロッド８ｃ，９ｃの位置を設定する。また、昇降機構８ａ，９ａにより案内部材８ｂ，９ｂの位置を調整して、原稿Ｍに対する従動ローラ８ｅ，９ｅの押圧力が、例えば、５Ｎになるようにする。
【００３２】
従動ローラ８ｅ，９ｅの配置を、Ａ１サイズの原稿Ｍの横向き搬送に適した状態にしたままでＡ３サイズの原稿Ｍを横向き搬送すると、押圧手段８，９の従動ローラ８ｅ，９ｅうち、それぞれ４個が原稿Ｍを押圧することになる。同様な状態でＡ４サイズの原稿Ｍを縦向き搬送すると、押圧手段８，９の従動ローラ８ｅ，９ｅうち、それぞれ２個が原稿Ｍを押圧することになる。
【００３３】
例えば、２個の従動ローラ８ｅ，９ｅによって押圧されるＡ４サイズの原稿Ｍは、８個の従動ローラ８ｅ，９ｅによって押圧されるＡ１サイズの原稿Ｍに比べると十分な搬送力を得ることができない。このため、原稿Ｍのサイズが小さくなるほど、搬送力が低下するようになり、図５に示すように、原稿Ｍのサイズが小さくなるほど、原稿Ｍの目標搬送速度に対する実際の搬送速度の偏差である速度ずれが大きくなる。
【００３４】
また、図６に示すように、例えば、Ａ３サイズの原稿Ｍの目標搬送速度に対する実際の搬送速度のずれは、原稿Ｍの用紙種類により相違する。すなわち、普通紙に比べて表面粗さが小さいフィルム用紙は、普通紙よりも速度ずれが大きくなり、フィルム用紙に比べて表面粗さが小さいトレーシングペーパーは、フィルム用紙よりも速度ずれが大きくなる。
【００３５】
さらに、図２に示すように、２個の従動ローラ８ｅ，９ｅによってＡ４サイズの原稿Ｍを押圧する場合に、従動ローラ８ｅ，９ｅの押圧力を大きくすると、２個の従動ローラ８ｅ，９ｅの間で駆動ローラ４，５から原稿Ｍが浮き上がってしまう。
【００３６】
そこで、本実施の形態に係る画像読取装置１においては、図３に示すように、前述した数よりも多数の従動ローラ８ｅ，９ｅがＡ１サイズよりも小さい原稿Ｍを押圧するように、案内部材８ｂ，９ｂに対するロッド８ｃ，９ｃの位置を設定する。これにより、原稿Ｍは、駆動ローラ４，５と３個の従動ローラ８ｅ，９ｅとに挟持されるため、十分な搬送力を得ることができ、駆動ローラ４，５に対する浮き上がりが抑制されることになる。
【００３７】
よって、本実施の形態に係る画像読取装置１は、原稿Ｍのサイズや用紙種類が変わっても、所定の原稿搬送速度を保持することができ、読取画質が悪化しない。
【００３８】
本実施の形態に係る画像読取装置１は、案内部材８ｂ，９ｂの位置を調整すると、駆動ローラ４，５に対する従動ローラ８ｅ，９ｅの押圧力が変化するため、原稿Ｍの用紙種類に応じた押圧力に設定することができる。
【００３９】
ここで、原稿台２の原稿搬送方向上流Ａ側端部から駆動ローラ４と従動ローラ８ｅとのニップ部までの有効長をＬ１、原稿長をＬ２、普通紙と駆動ローラ４との摩擦係数をμ１、普通紙以外の用紙と駆動ローラ４との摩擦係数をμ２とする（μ１＞μ２）。
【００４０】
例えば、有効長Ｌ１よりも原稿長Ｌ２が長い場合、画像読取装置１は、原稿Ｍにおいて原稿台２に載っている部分を水平に引っ張る力と、原稿Ｍにおいて原稿台２から垂下している部分を引き上げる力とが必要になる。
【００４１】
本実施の形態に係る画像読取装置１は、原稿Ｍを駆動ローラ４と多数の従動ローラ８ｅとで挟持することができるため、原稿Ｍが長い場合、あるいは普通紙以外の用紙を用いた原稿Ｍでも十分な搬送力を得ることができる。よって、本実施の形態に係る画像読取装置１は、原稿Ｍのサイズや用紙種類が変わっても、所定の原稿搬送速度を保持ができ、読取画質が悪化しない。
【００４２】
また、コンタクトガラス２ａ付近では原稿Ｍの通過に伴って静電気が発生することにより搬送負荷が大きくなるが、本実施の形態に係る画像読取装置１は、所定の原稿搬送速度が保持されるため、読取画質が悪化しない。
【００４３】
前述の速度ずれを抑えるためには、駆動ローラ４に対する従動ローラ８ｅへの押圧力が、駆動ローラ５に対する従動ローラ９ｅへの押圧力を上回るよう構成することが好ましい。また、速度ずれを抑えるためには、従動ローラ８ｅの転動面の摩擦係数が、従動ローラ９ｅの転動面の摩擦係数を上回るよう構成することが望ましい。また、速度ずれを抑えるためには、従動ローラ８ｅの数が、従動ローラ９ｅの数を上回るよう構成することが好ましい。
【００４４】
本発明に係る画像読取装置およびその使用方法は、上述した実施の形態に限定されるものではない。また、本発明は、各種の画像形成装置に適用することができる。
【符号の説明】
【００４５】
１  画像読取装置
４，５  駆動ローラ
６  読取センサ（読取手段）
８，９  押圧手段
８ｂ，９ｂ  案内部材
８ｅ，９ｅ  従動ローラ
８ｇ，９ｇ  スプリング
【先行技術文献】
【特許文献】
【００４６】
【特許文献１】特開２００２−２８７４４４号公報
【特許文献２】特開２０１２−７００２６号公報
【図１】
2015171129.tif 000003
【図２】
2015171129.tif 000004
【図３】
2015171129.tif 000005
【図４】
2015171129.tif 000006
【図５】
2015171129.tif 000007
【図６】
2015171129.tif 000008